(57)【要約】開示される例示の一実施形態は、複数の入力リード線を有するミキサと、ミキサの第１の入力リード線に結合された第１の変性インピーダンス要素と、ミキサの第２の入力リード線に結合された第２の変性インピーダンス要素と、ミキサのためのＬＯ信号を生成する、複数のデューティサイクルモードを備える局部発振器（ＬＯ）システムと、を備え、局部発振器システムは、ミキサの第１の利得状態に基づいて第１のデューティサイクルで、そしてミキサの第２の利得状態に基づいて第２のデューティサイクルで、動作する。
2011515967.tif 000002
【特許請求の範囲】
【請求項１】
複数の入力リード線を有するミキサと、
前記ミキサの第１の入力リード線に結合された第１の変性インピーダンス要素と、
前記ミキサの第２の入力リード線に結合された第２の変性インピーダンス要素と、
前記ミキサのためのＬＯ信号を生成する、複数のデューティサイクルモードを備える局部発振器（ＬＯ）システムと、
を備え、前記局部発振器システムは、前記ミキサの第１の利得状態に基づいて第１のデューティサイクルで、そして前記ミキサの第２の利得状態に基づいて第２のデューティサイクルで、動作する、装置。
【請求項２】
前記ミキサの前記第１の利得状態は、高利得状態を備え、そして前記ミキサの前記第２の利得は、低利得状態を備える、請求項１の装置。
【請求項３】
前記第１のデューティサイクルは、前記第２のデューティサイクルのデューティサイクルレートよりも低いデューティサイクルレートを備える、請求項１の装置。
【請求項４】
前記第１および前記第２の変性インピーダンス要素の各々は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、のうちの少なくとも１つを備える、請求項１の装置。
【請求項５】
前記ミキサは、各々が、各リード線が異なる変性インピーダンス要素に結合された複数の入力リード線を有する複数のミキサを備え、前記ＬＯシステムは、前記複数のミキサのための前記ＬＯ信号を生成し、そして前記局部発振器は、前記複数のミキサの前記第１の利得状態に基づいて前記第１のデューティサイクルで、そして前記複数のミキサの前記第２の利得状態に基づいて前記第２のデューティサイクルで、動作する、請求項１の装置。
【請求項６】
複数のデューティサイクルモードを有する局部発振器（ＬＯ）に結合されたミキサの利得状態を決定することと、なお前記決定された利得状態は、前記ミキサの第１および第２の利得のうちの少なくとも一方に対応する、
前記ミキサの前記決定された利得状態に基づいて前記局部発振器システムの前記複数のデューティサイクルモードからデューティサイクルモードを選択することと、
前記ミキサの決定された第１の利得状態に基づいて、選択された第１のデューティサイクルモードで動作するように前記局部発振器システムに指示することと、
前記ミキサの決定された第２の利得状態に基づいて、選択された第２のデューティサイクルモードで動作するように前記局部発振器システムに指示することと、
を備える方法。
【請求項７】
コンピュータに、複数のデューティサイクルモードを有する局部発振器（ＬＯ）に結合されたミキサの利得状態を決定するようにさせるためのコードと、なお前記決定された利得状態は、前記ミキサの第１および第２の利得のうちの少なくとも一方に対応する、
前記コンピュータに、前記ミキサの前記決定された利得状態に基づいて前記局部発振器システムの前記複数のデューティサイクルモードからデューティサイクルモードを選択するようにさせるためのコードと、
前記コンピュータに、前記ミキサの決定された第１の利得状態に基づいて、選択された第１のデューティサイクルモードで動作するように前記局部発振器システムに指示するようにさせるためのコードと、
前記コンピュータに、前記ミキサの決定された第２の利得状態に基づいて、選択された第２のデューティサイクルモードで動作するように前記局部発振器システムに指示するようにさせるためのコードと、
を備えるコンピュータ可読媒体、
を備えるコンピュータプログラムプロダクト。
【請求項８】
複数のデューティサイクルモードを有する局部発振器（ＬＯ）に結合されたミキサの利得状態を決定するための手段と、なお前記決定された利得状態は、前記ミキサの第１および第２の利得のうちの少なくとも一方に対応する、
前記ミキサの前記決定された利得状態に基づいて前記局部発振器システムの前記複数のデューティサイクルモードからデューティサイクルモードを選択するための手段と、
前記ミキサの決定された第１の利得状態に基づいて、選択された第１のデューティサイクルモードで動作するように、そして前記ミキサの決定された第２の利得状態に基づいて、選択された第２のデューティサイクルモードで動作するように、前記局部発振器システムに指示するための手段と、
を備える装置。
【請求項９】
複数のミキサコアを備えるミキサと、
前記ミキサに供給されるＬＯ信号を生成する、複数のデューティサイクルモードを備える局部発振器（ＬＯ）システムと、
（ａ）前記ミキサの第１の利得に基づいて第１のデューティサイクルモードで、前記複数のミキサコアからの第１のミキサコアと、前記局部発振器システムとを動作させ、（ｂ）前記ミキサの第２の利得に基づいて前記第１のデューティサイクルモードで、前記ミキサと、前記複数のミキサコアからの第２のミキサコアとのうちの少なくとも一方と、前記局部発振器システムとを動作させ、そして（ｃ）前記ミキサの第３の利得に基づいて第２のデューティサイクルモードで、前記第１のミキサコアと、前記局部発振器システムとを動作させるコントローラと、
を備える装置。
【請求項１０】
前記複数のミキサコアの中の少なくとも１つのミキサコアは、前記複数のミキサコアの中の他のミキサコアとは異なるインピーダンス値を備える、請求項９の装置。
【請求項１１】
前記第１のミキサコアは、前記第２のミキサコアよりも小さなインピーダンス値のものである、請求項１０の装置。
【請求項１２】
前記ミキサコアの各々は、複数の入力リード線を有し、第１の変性インピーダンス要素は、第１のミキサコアの第１の入力リード線に結合され、第２の変性インピーダンス要素は、前記第１のミキサコアの第２の入力リード線に結合され、第３の変性インピーダンス要素は、第２のミキサコアの第１の入力リード線に結合され、そして第４の変性インピーダンス要素は、前記第２のミキサコアの第２の入力リード線に結合される、請求項９の装置。
【請求項１３】
前記第１、第２、第３および第４の変性インピーダンス要素の各々は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、のうちの少なくとも１つを備える、請求項１２の装置。
【請求項１４】
前記ミキサは、第１の入力と第２の入力とを備え、そして前記ミキサの前記第１の入力は、前記ミキサコアの前記第１の入力リード線を備え、そして前記ミキサの前記第２の入力は、前記ミキサコアの前記第２のリード線を備える、請求項１２の装置。
【請求項１５】
前記ミキサは、第１の出力と第２の出力とを備え、前記複数のミキサコアは、各々、第１の出力と第２の出力とを備え、そして前記ミキサの前記第１の出力は、前記ミキサコアの前記第１の出力を備え、そして前記ミキサの前記第２の出力は、前記ミキサコアの前記第２の出力を備える、請求項１２の装置。
【請求項１６】
各々が、前記ミキサの対応する入力リード線に結合された複数の出力リード線を有する低雑音増幅器（ＬＮＡ）、
をさらに備える請求項９の装置。
【請求項１７】
前記ＬＮＡは、可変利得ＬＮＡを備える、請求項１６の装置。
【請求項１８】
前記複数のミキサコアの各々は、能動コアと受動コアとのうちの少なくとも一方を備える、請求項９の装置。
【請求項１９】
前記局部発振器（ＬＯ）システムは、前記第１および前記第２のデューティサイクルモードに対応するデューティサイクルを生成するデューティサイクルジェネレータシステムをさらに備える、請求項９の装置。
【請求項２０】
前記局部発振器（ＬＯ）システムは、
各々が、前記デューティサイクルジェネレータシステムの前記複数の出力リード線の中の対応する出力リード線に結合された複数の入力リード線と、
前記コントローラから受信される制御信号に基づいて前記の第１および第２のデューティサイクルのうちの少なくとも一方に対応する信号を前記ミキサに供給する、前記ミキサの前記第１のミキサコアの対応する第１の複数の入力リード線に結合された第１の複数の出力リード線と、
前記コントローラから受信される制御信号に基づいて前記の第１および第２のデューティサイクルのうちの少なくとも一方に対応する信号を前記ミキサに供給する、前記ミキサの前記第２のミキサコアの対応する第２の複数の入力リード線に結合された第２の複数の出力リード線と、
を備えるバッファシステムをさらに備える、請求項１９の装置。
【請求項２１】
前記ミキサの前記第１の利得状態は、高利得状態を備え、前記ミキサの前記第２の利得は、低利得状態を備え、そして前記第３の利得状態は、前記ミキサの前記第２の利得よりも低い低利得状態を備える、請求項９の装置。
【請求項２２】
各々が、複数のミキサコアを備える複数のミキサ、をさらに備え、前記局部発振器（ＬＯ）システムは、前記複数のミキサに供給されるＬＯ信号を生成し、そして前記コントローラは、（ａ）前記複数のミキサの第１の利得に基づいて第１のデューティサイクルモードで、前記複数のミキサの各々の中の前記複数のミキサコアからの前記第１のミキサコアと、前記局部発振器システムとを動作させ、（ｂ）前記複数のミキサの第２の利得に基づいて前記第１のデューティサイクルモードで、前記複数のミキサと、前記複数のミキサの各々の中の前記複数のミキサコアからの第２のミキサコアとのうちの少なくとも一方と、前記局部発振器システムとを動作させ、そして（ｃ）前記複数のミキサの第３の利得に基づいて第２のデューティサイクルモードで、前記複数のミキサコアからの前記第１のミキサコアと、前記局部発振器システムとを動作させる、請求項９の装置。
【請求項２３】
複数のミキサコアを有し、そして複数のデューティサイクルモードを有する局部発振器（ＬＯ）に結合されたミキサの利得状態を決定することと、なお前記決定された利得状態は、前記ミキサの第１、第２、および第３の利得のうちの少なくとも１つに対応する、
前記ミキサの前記決定された利得状態に基づいて、前記複数のミキサコアからのミキサコアと、前記局部発振器システムの前記複数のデューティサイクルモードからのデューティサイクルモードとを選択することと、
前記ミキサが、前記第１の利得状態にあることが決定される場合に、選択された第１のデューティサイクルモードで動作するように、そして選択された第１のミキサコアにＬＯ信号を供給するように、前記局部発振器システムに指示することと、
前記ミキサが、前記第２の利得状態にあることが決定される場合に、前記選択された第１のデューティサイクルモードで動作するように、そして前記ミキサと、選択された第２のミキサコアとのうちの少なくとも一方にＬＯ信号を供給するように、前記局部発振器システムに指示することと、
前記ミキサが、前記第３の利得状態にあることが決定される場合に、選択された第２のデューティサイクルモードで動作するように、そして前記選択された第１のミキサコアにＬＯ信号を供給するように、前記局部発振器システムに指示することと、
を備える方法。
【請求項２４】
コンピュータに、複数のミキサコアを有し、そして複数のデューティサイクルモードを有する局部発振器（ＬＯ）に結合されたミキサの利得状態を決定するようにさせるためのコードと、なお前記決定された利得状態は、前記ミキサの第１、第２、および第３の利得のうちの少なくとも１つに対応する、
前記コンピュータに、前記ミキサの前記決定された利得状態に基づいて、前記複数のミキサコアからのミキサコアと、前記局部発振器システムの前記複数のデューティサイクルモードからのデューティサイクルモードとを選択するようにさせるためのコードと、
前記コンピュータに、前記ミキサが、前記第１の利得状態にあることが決定される場合に、選択された第１のデューティサイクルモードで動作するように、そして選択された第１のミキサコアにＬＯ信号を供給するように、前記局部発振器システムに指示するようにさせるためのコードと、
前記コンピュータに、前記ミキサが、前記第２の利得状態にあることが決定される場合に、前記選択された第１のデューティサイクルモードで動作するように、そして前記ミキサと、選択された第２のミキサコアとのうちの少なくとも一方にＬＯ信号を供給するように、前記局部発振器システムに指示するようにさせるためのコードと、
前記コンピュータに、前記ミキサが、前記第３の利得状態にあることが決定される場合に、選択された第２のデューティサイクルモードで動作するように、そして前記選択された第１のミキサコアにＬＯ信号を供給するように、前記局部発振器システムに指示するようにさせるためのコードと、
を備えるコンピュータ可読媒体、
を備えるコンピュータプログラムプロダクト。
【請求項２５】
複数のミキサコアを有し、そして複数のデューティサイクルモードを有する局部発振器（ＬＯ）に結合されたミキサの利得状態を決定するための手段と、なお前記決定された利得状態は、前記ミキサの第１、第２、および第３の利得のうちの少なくとも１つに対応する、
前記ミキサの前記決定された利得状態に基づいて、前記複数のミキサコアからのミキサコアと、前記局部発振器システムの前記複数のデューティサイクルモードからのデューティサイクルモードとを選択するための手段と、
前記ミキサが、前記第１の利得状態にあることが決定される場合に、選択された第１のデューティサイクルモードで動作するように、そして選択された第１のミキサコアにＬＯ信号を供給するように、前記ミキサが、前記第２の利得状態にあることが決定される場合に、前記選択された第１のデューティサイクルモードで動作するように、そして前記ミキサと、選択された第２のミキサコアとのうちの少なくとも一方にＬＯ信号を供給するように、そして前記ミキサが、前記第３の利得状態にあることが決定される場合に、選択された第２のデューティサイクルモードで動作するように、そして前記選択された第１のミキサコアにＬＯ信号を供給するように、前記局部発振器システムに指示するための手段と、
を備える装置。
【発明の詳細な説明】
【技術分野】
【０００１】
本開示は、一般にレシーバに関し、そしてより詳細には、無線周波数(radio frequency)（ＲＦ）レシーバにおける電力消費を低減させるための技法に関する。
【背景技術】
【０００２】
通信システムにおいて、レシーバは、トランスミッタから無線周波数(radio-frequency)（ＲＦ）信号を受信し、そして１つまたは複数のミキサを使用してＲＦからベースバンド(base-band)へと受信信号をダウンコンバートする。各ミキサは、局部発振器(local oscillator)（ＬＯ）信号と受信信号を混合する。ＬＯバッファは、一般的に、ミキサの前でＬＯ信号をバッファリングするために提供される。
【０００３】
ワイヤレスデバイスレシーバを実現するためのいくつかの異なる回路トポロジが、存在する。いくつかのトポロジは、低雑音増幅器(low-noise amplifier)（ＬＮＡ）とミキサとの間の着信ＲＦ信号経路の中に配置された表面弾性波(surface acoustic-wave)（ＳＡＷ）フィルタを伴う。少しコストのかかる大きなＳＡＷデバイスを使用せずに、十分な性能のワイヤレスデバイスレシーバを実現することができることが、望ましい。ＳＡＷレスレシーバ(SAW-less receiver)の中で良好な線形性を達成するために、純粋に受動的なダウンコンバートするミキサが、時に使用される。受動ミキサは、ミキサのスイッチングコアの前に利得ステージなどの能動ｇｍ−セル(gm-cell)を有してはいない。しかしながら、依然として良好な線形性（例えば、３倍ビート）性能を達成しながら、要求する雑音指数(noise figure)（ＮＦ）要件を満たすことは、このトポロジでは、多くの場合に難しい。
【０００４】
良好なＮＦ性能を達成するための１つの現在のアプローチは、よりよい利得のためにＲＦレシーバにおいて２５−デューティサイクル(25-duty-cycle)（２５ＤＣ）のＬＯを使用することである。別のアプローチは、５０ＤＣのＬＯなど、より高いデューティサイクルのＬＯの使用であり、これは、２５ＤＣに比べて電力消費を低減させるが、低減された利得を犠牲にして成り立つ。
【０００５】
したがって、許容可能なＮＦを維持しながら、ワイヤレスデバイスのレシーバにおける電力消費を低減するための必要性が、当技術分野において存在する。
【図面の簡単な説明】
【０００６】
【図１】図１は、本開示の例示の実施形態が実行されることができる例示のワイヤレス通信環境を示している。
【図２】図２は、先行技術の技法を使用した例示のワイヤレスデバイスを示している。
【図３】図３は、本開示の例示の実施形態を示している。
【図４Ａ】図４Ａは、本開示の例示の実施形態と一緒に使用される変性インピーダンス要素の例示の回路図である。
【図４Ｂ】図４Ｂは、本開示の例示の実施形態と一緒に使用される変性インピーダンス要素の例示の回路図である。
【図４Ｃ】図４Ｃは、本開示の例示の実施形態と一緒に使用される変性インピーダンス要素の例示の回路図である。
【図４Ｄ】図４Ｄは、本開示の例示の実施形態と一緒に使用される変性インピーダンス要素の例示の回路図である。
【図４Ｅ】図４Ｅは、本開示の例示の実施形態と一緒に使用される変性インピーダンス要素の例示の回路図である。
【図４Ｆ】図４Ｆは、本開示の例示の実施形態と一緒に使用される変性インピーダンス要素の例示の回路図である。
【図４Ｇ】図４Ｇは、本開示の例示の実施形態と一緒に使用される変性インピーダンス要素の例示の回路図である。
【図５】図５は、本開示の例示の方法を示すフローチャートである。
【図６】図６は、本開示の別の例示の実施形態を示している。
【図７】図７は、本開示の別の例示の方法を示すフローチャートである。
【詳細な説明】
【０００７】
ここにおいて説明される技法は、無線周波数受信が望ましい任意の電気または電子の環境における任意の電子設定に対して適用可能であり、そしてその任意の電子設定のために使用されることができる。例示の目的のためだけに、ここにおいて説明される例示の実施形態は、ワイヤレス通信環境との関連で提示されるが、それらは、そのようなものだけに限定されるようには意味されず、セル電話、基地局、ケーブルセットトップボックスなど、無線周波数の送信および受信を使用する任意の有線またはワイヤレスの通信設定にも適用可能である。
【０００８】
ここにおいて説明される技法は、ＣＤＭＡネットワーク、ＴＤＭＡネットワーク、ＦＤＭＡネットワーク、ＯＦＤＭＡネットワーク、ＳＣ−ＦＤＭＡネットワークなどのワイヤレス通信ネットワークなど、様々なワイヤレス通信ネットワークのために使用されることができる。用語「ネットワーク」と、「システム」とは、多くの場合に交換可能に使用される。ＣＤＭＡネットワークは、ユニバーサル地上波無線アクセス(Universal Terrestrial Radio Access)（ＵＴＲＡ）、ｃｄｍａ２０００などの無線技術をインプリメントすることができる。ＵＴＲＡは、広帯域−ＣＤＭＡ(Wideband-CDMA)（Ｗ−ＣＤＭＡ）、低チップレート(Low Chip Rate)（ＬＣＲ）、高チップレート(High Chip Rate)（ＨＣＲ）などを含む。ＣＤＭＡ２０００は、ＩＳ−２０００規格と、ＩＳ−９５規格と、ＩＳ−８５６規格と、をカバーする。ＴＤＭＡネットワークは、移動通信用グローバルシステム(Global System for Mobile Communications)（ＧＳＭ）などの無線技術をインプリメントすることができる。ＯＦＤＭＡネットワークは、先進(Evolved)ＵＴＲＡ（Ｅ−ＵＴＲＡ）、ウルトラモバイルブロードバンド(Ultra Mobile Broadband)（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ(Flash-OFDM)（登録商標）などの無線技術をインプリメントすることができる。これらの様々な無線の技術および規格は、当技術分野において知られている。ＵＴＲＡと、Ｅ−ＵＴＲＡと、ＧＳＭとは、「第３世代パートナーシッププロジェクト(3rd Generation Partnership Project)」（３ＧＰＰ）と命名された組織からのドキュメントの中で説明される。ＣＤＭＡ２０００は、「第３世代パートナーシッププロジェクト２(3rd Generation Partnership Project 2)」（３ＧＰＰ２）と命名された組織からのドキュメントの中で説明される。３ＧＰＰドキュメントと、３ＧＰＰ２ドキュメントとは、公表されている。明確にするために、本技法のある種の態様は、３ＧＰＰネットワークについて以下で説明される。
【０００９】
言葉「例示の(exemplary)」は、ここにおいて、「１つの例(example)、インスタンス(instance)、または例証(illustration)としての役割を果たすこと」を意味するように使用される。ここにおいて「例示の」として説明されるどのような実施形態も、必ずしも他の実施形態よりも好ましい、あるいは有利であるとして解釈されるべきであるとは限らない。
【００１０】
図１は、通信システム１２０および１２２と、複数のワイヤレス通信システム１２０および１２２との通信ができるマルチアンテナワイヤレスデバイスなどのワイヤレスデバイス１１０と、を備える例示のワイヤレス通信環境１を示している。ワイヤレスシステム１２０は、例えば、ＩＳ−２０００（ＣＤＭＡ  １ｘと一般に称される）、ＩＳ−８５６（ＣＤＭＡ  １ｘＥＶ−ＤＯと一般に称される）、ＩＳ−９５、Ｗ−ＣＤＭＡなど、１つまたは複数のＣＤＭＡ規格をインプリメントすることができるＣＤＭＡシステムとすることができる。ワイヤレスシステム１２０は、基地トランシーバシステム(base transceiver system)（ＢＴＳ）１３０と、モバイル交換局(mobile switching center)（ＭＳＣ）１４０と、を含む。ＢＴＳ１３０は、そのカバレージエリアの下でワイヤレスデバイスについてのオーバージエア通信(over-the-air communication)を提供する。ＭＳＣ１４０は、ワイヤレスシステム１２０の中でＢＴＳに結合し、そしてこれらのＢＴＳについての協調と制御とを提供する。ワイヤレスシステム１２２は、例えば、ＧＳＭなど、１つまたは複数のＴＤＭＡ規格をインプリメントすることができるＴＤＭＡシステムとすることができる。ワイヤレスシステム１２２は、ノードＢ(Node B)１３２と、無線ネットワークコントローラ(radio network controller)（ＲＮＣ）１４２と、を含む。ノードＢ１３２は、そのカバレージエリアの下でワイヤレスデバイスについてのオーバージエア通信を提供する。ＲＮＣ１４２は、ワイヤレスシステム１２２の中でノードＢに結合し、そしてこれらのノードＢについての協調と制御とを提供する。一般に、ＢＴＳ１３０と、ノードＢ１３２とは、ワイヤレスデバイスについての通信カバレージを提供する固定局であり、基地局、または何らかの他の専門用語と称されることもできる。ＭＳＣ１４０と、ＲＮＣ１４２とは、基地局についての協調と制御とを提供するネットワークエンティティであり、そして他の専門用語によって称されることもできる。
【００１１】
ワイヤレスデバイス１１０は、セルラ電話、個人用携帯型情報端末(personal digital assistant)（ＰＤＡ）、ワイヤレス使用可能コンピュータ、あるいは何らかの他のワイヤレス通信のユニットまたはデバイス、とすることができる。ワイヤレスデバイス１１０は、モバイル局（３ＧＰＰ２専門用語）、ユーザ装置(user equipment)（ＵＥ）（３ＧＰＰ専門用語）、アクセス端末、または何らかの他の専門用語、と称されることもできる。ワイヤレスデバイス１１０は、複数のアンテナ、例えば、１つの外部アンテナと、１つまたは複数の内部アンテナと、を装備される。複数のアンテナは、フェージング、マルチパス、干渉など、有害な経路効果に対するダイバーシティ(diversity)を提供するために使用されることができる。送信エンティティにおいてアンテナから送信されるＲＦ変調信号は、見通し線経路(line-of-sight paths)および／または反射された経路を経由してワイヤレスデバイス１１０における複数のアンテナに到達することができる。少なくとも１つの伝搬経路は、一般的に、ワイヤレスデバイス１１０において送信アンテナと、各受信アンテナとの間に存在する。少なくともある程度まで一般に真であるが、異なる受信アンテナについての伝搬経路が、独立している場合、そのときには複数のアンテナがＲＦ変調信号を受信するために使用されるときに、ダイバーシティは、増大し、そして受信信号品質は、改善する。
【００１２】
ワイヤレスデバイス１１０は、衛星１５０からの信号を受信することができる可能性もあり、またはできない可能性もある。衛星１５０は、よく知られている全地球測位システム(Global Positioning System)（ＧＰＳ）、欧州ガリレオシステム(European Galileo system)、何らかの他のシステムなどの衛星測位システムに属することができる。各ＧＰＳ衛星は、地上のＧＰＳレシーバが、ＧＰＳ信号の到着時刻(time of arrival)（ＴＯＡ）を測定することを可能にする情報で符号化されたＧＰＳ信号を送信する。十分な数のＧＰＳ衛星についての測定値は、ＧＰＳレシーバについての正確な３次元位置推定値を得るために使用されることができる。一般に、ワイヤレスデバイス１１０は、異なるワイヤレス技術（例えば、ＣＤＭＡ、ＧＳＭ、ＧＰＳなど）の任意の数のワイヤレスシステムと通信することができる可能性がある。
【００１３】
図２は、例示のワイヤレスデバイス１１０を示すブロック図である。ワイヤレスデバイス１１０は、一端で、外部のアンテナとすることができる、主要アンテナなどのアンテナ２０２に結合し、他端で、経路２４０などを経由して移動局モデム(mobile station modem)（ＭＳＭ）２２０と通信している、ＳＡＷレストランシーバなどのトランシーバシステム２１０を含んでいる。ＭＳＭ２２０は、メモリ２２２と通信しているプロセッサ２２４を備える。
【００１４】
図２に示されるように、アンテナ２０２において受信される着信ＲＦ信号は、低雑音増幅器（ＬＮＡ）２０の異なる入力端子２０ａおよび２０ｂへと受信される。ＬＮＡ２０は、ＲＦ信号を増幅し、そして出力リード線２１ａおよび２１ｂからの差動信号を駆動する。ＬＮＡ２０の出力リード線２１ａおよび２１ｂは、ベースバンド信号ＩおよびＱなどへとＲＦ信号をダウンコンバートするために、ミキサ２２ａおよび２２ｂの入力に結合される。出力リード線２１ａは、ミキサ２２ａの第１の差動入力リード線２２ａ２に結合され、そして出力リード線２１ｂは、ミキサ２２ａの第２の差動入力リード線２２ａ１に結合される。例示の一実施形態においては、ミキサ２２ａは、ミキサのスイッチングコアの前に利得ステージなどの能動ｇｍ−セルを有さない受動ミキサを備える。図２に示される例示の実施形態においては、ミキサ２２ａは、電界効果トランジスタ(field effect transistors)（ＦＥＴ）など、２つの交差結合スイッチング要素２２ａ３および２２ａ４を含み、そしてそのコンフィギュレーションおよびオペレーションが、当技術分野においてよく知られているギルバートミキサ(Gilbert Mixer)である。同様に、出力リード線２１ａは、ミキサ２２ｂの第１の差動入力リード線２２ｂ１に結合され、そして出力リード線２１ｂは、ミキサ２２ｂの第２の差動入力リード線２２ｂ２に結合される。例示の一実施形態においては、ミキサ２２ｂは、ミキサのスイッチングコアの前に利得ステージなどの能動ｇｍ−セルを有さない受動ミキサを備え、そして類似したミキサ２２ａは、２つの交差結合スイッチング要素を有するギルバートミキサを備える。
【００１５】
トランシーバシステム２１０は、先ずバッファ２８にバッファされ、次いで２分周のように周波数分周器２７によって周波数分周されるダウンコンバートする電圧信号を生成するための電圧制御発振器２９も含んでいる。次いで、周波数分周器２７の出力は、２５デューティサイクル（ＤＣ）ジェネレータ２６へと供給され、この２５ＤＣジェネレータ２６は、２５ＤＣ信号２５ａと２５ｂとをそれぞれバッファ２４ａと２４ｂとに出力する。次いでバッファ２４ａと２４ｂとは、バッファされた信号２３ａ１、２３ａ２と、２２ｂ１、２２ｂ２とをそれぞれミキサ２２ａと、２２ｂとに出力する。次いで、ミキサ２２ａと２２ｂとは、それぞれダウンコンバートされた直交(Quadrature)（Ｑ）信号５０ａ１、５０ａ２と、同相(In-phase)（Ｉ）信号５０ｂ１、５０ｂ２とを生成するために、それらの入力２２ａ１、２２ａ２と、２２ｂ１、２２ｂ２との中で受信されるＲＦ信号と、信号２３ａ１、２３ａ２と、２３ｂ１、２３ｂ２とをそれぞれ混合する。次いで、ダウンコンバートされたＩ信号とＱ信号とは、経路２４０などを経由してＭＳＭ２２０へと供給される。
【００１６】
上記で説明されるように、上記のトランシーバシステム２１０における欠点は、２５ＤＣ  ＬＯが、比較的高い電流を消費し、電力のより高い消費をもたらすことである。しかしながら、５０ＤＣ  ＬＯなど、より高いデューティサイクルのＬＯの使用は、電力消費を低減させることができるが、低減された利得を犠牲にして成り立ち、悪化された雑音指数性能をもたらす。
【００１７】
図３は、例示の目的のためだけのＳＡＷレスＧＳＭトランシーバシステム３１０との関連で説明される本開示の例示の一実施形態を示しているが、これは、同様に他の通信システムと共に使用されることもできる。図３に示されるように、トランシーバシステム３１０は、外部アンテナとすることができる、主要アンテナなどのアンテナ３０２に結合し、そして経路３３０などを経由して移動局モデム（ＭＳＭ）３２０と通信している。ＭＳＭ３２０は、図に示されるようにＭＳＭ３２０の内部に、あるいはＭＳＭ３２０の外部に（図示されず）あるようにすることができるメモリ３２２と通信しているプロセッサ３２３を備える。
【００１８】
図３に示されるように、トランシーバシステム３１０は、先ずアンテナ３０２上で、次いで低雑音増幅器（ＬＮＡ）３０の差動入力端子３０ａおよび３０ｂへと受信される、直交（Ｑ）信号などのＲＦ信号をダウンコンバートするための、能動ミキサや受動ミキサなどのミキサ３２ａを含んでおり、この出力リード線３１ａおよび３１ｂは、次いでミキサ３２ａに結合される。例示の一実施形態においては、ＬＮＡ３０は、可変利得増幅器である。例示の一実施形態においては、ミキサ３２ａは、ミキサのスイッチングコアの前に利得ステージなどの能動ｇｍ−セルを有さない受動ミキサを備える。図３に示される例示の実施形態においては、ミキサ３２ａは、各々が、電界効果トランジスタ（ＦＥＴ）など、複数のトランジスタを有する、２つの交差結合スイッチング要素３２ａ３および３２ａ４を含むギルバートミキサである。ミキサ３２ａは、３０４や３０５などの変性インピーダンス要素が、それぞれ入力リード線３０１および３０２に結合された入力リード線３０１および３０２を含む。例示の一実施形態においては、変性インピーダンス要素３０４および３０５は、２０オームよりも大きな抵抗値を有する抵抗である。変性インピーダンス要素３０４および３０５は、図に示されるように、ミキサ３２ａの内部で、あるいはそれぞれ入力経路３０１ａおよび３０２ａに沿って外部で（図示されず）入力リード線３０１および３０２に結合されることができる。
【００１９】
トランシーバシステム３１０は、ミキサ３２ａのためのＬＯ信号を生成する、複数のデューティサイクルモードを有する局部発振器（ＬＯ）システム３００をさらに含んでいる。局部発振器システム３００は、バッファ３３ａに対してＬＯ信号３５ａを出力する、プログラマブルな２５／５０ＤＣジェネレータなどのマルチモードデューティサイクル（ＤＣ）ジェネレータ３６を含んでいる。次いで、バッファされた信号３３ａ１および３３ａ２はそれぞれ、それぞれ出力経路７０ａ２および７０ａ１から出力されるダウンコンバートされた信号に対して入力リード線３０１および３０２の中で受信されるＲＦ信号についてダウンコンバートするためのミキサ３２ａのスイッチング要素３２ａ４および３２ａ３に対して供給される。
【００２０】
図５と組み合わせてさらに詳細に以下で説明されるように、局部発振器システム３００は、ミキサ３２ａの第１の利得状態に基づいて第１のデューティサイクルで、そしてミキサ３２ａの第２の利得状態に基づいて第２のデューティサイクルで動作する。例示の一実施形態においては、制御信号５１は、どのデューティサイクルで動作すべきかについてデューティサイクルジェネレータ３６に対する指示(instruction)を提供するために、プロセッサ３２２などから局部発振器システム３００へと受信される。例示の一実施形態においては、デューティサイクルジェネレータ３６は、プログラマブルなデューティサイクルジェネレータである。トランシーバシステム３１０はまた、次いで先ずバッファ３８にバッファされ、次いで局部発振器システム３００に供給される前に、２分周のように周波数分周器３７によって周波数分周されるダウンコンバートする電圧信号を生成するための電圧制御発振器３９も含んでいる。
【００２１】
図３に示されるように、トランシーバシステム３１０は、同相（Ｉ）信号など、追加の信号をダウンコンバートするための、ミキサ３２ｂなど、追加のミキサを含むことができる。例示の一実施形態においては、ミキサ３２ｂなど、追加の各ミキサは、その入力に結合された変性インピーダンス要素も有し、そしてまた、バッファ３３ｂなど、追加のバッファを有する局部発振器システム３００からのＬＯ信号を受信し、これらは、次いで両方のミキサ３２ａ、３２ｂなどのミキサの利得状態に基づいて動作する。簡単にするために、トランシーバシステム３１０のオペレーションは、ミキサ３２ａとの関連だけで、ここにおいて詳細に説明されるが、ミキサ３２ａや３２ｂなど、複数のミキサを有するコンフィギュレーションに対して簡単に適用されることができる。
【００２２】
図４Ａ〜Ｇは、本開示の例示の実施形態において、３０４や３０５などの変性インピーダンス要素として使用されることができる、入力リード線４１を有する変性インピーダンス要素６１の例示の回路図である。例示の一実施形態においては、変性インピーダンス要素６１は、図４Ａに示されるような抵抗と、図４Ｂに示されるようなキャパシタと、図４Ｃに示されるようなトランジスタと、図４Ｄに示されるような直列に結合された抵抗とキャパシタと、図４Ｅに示されるような直列に結合された抵抗とトランジスタと、図４Ｆに示されるような直列に結合されたキャパシタとトランジスタと、図４Ｇに示されるような直列に一緒に結合された抵抗とキャパシタとトランジスタと、を含むことができる。
【００２３】
図５は、図３と一緒に本開示の例示の一方法を示すフローチャートである。プロセスは、ミキサ３２ａなどのミキサの利得状態が、プロセッサ３２３などによって決定されるブロック５００において開始する。ミキサ３２ａは、２５ＤＣモードや５０ＤＣモードなど、複数のデューティサイクル（ＤＣ）モードを有する局部発振器（ＬＯ）システム３００に結合される。次に、ブロック５１０において、デューティサイクルモードは、ミキサ３２ａの決定された利得状態に基づいてプロセッサ３２３などによって選択される。トランシーバシステム３１０が、ミキサ３２ａや３２ｂなど、複数のミキサを含むコンフィギュレーションにおいては、デューティサイクルモードは、ミキサ３２ａや３２ｂなどのミキサの決定された利得状態に基づいて選択される。例示の一実施形態においては、選択されたミキサ（単数または複数）の第１の利得状態は、高利得状態を備え、そして選択されたミキサ（単数または複数）の第２の利得は、低利得状態を備える。
【００２４】
次に、ブロック５２０において、局部発振器システム３００は、ミキサ３２ａの決定された第１の利得状態に基づいて、選択された第１のデューティサイクルモードで動作するようにプロセッサ３２３などによって指示される。次に、ブロック５３０において、局部発振器システム３００は、ミキサの決定された第２の利得状態に基づいて、選択された第２のデューティサイクルモードで動作するようにプロセッサ３２３などによって指示される。例示の一実施形態においては、第１のデューティサイクルは、それぞれ２５ＤＣや５０ＤＣなど、第２のデューティサイクルのデューティサイクルレートよりも低いデューティサイクルレートを備える。次いで、全部のフローは、終了する。
【００２５】
図６は、例示の目的のためだけのＳＡＷレスＣＤＭＡトランシーバシステム６０９との関連で説明される本開示の例示の一実施形態を示しているが、これは、同様に他の通信システムと共に使用されることもできる。図６に示されるように、トランシーバシステム６０９は、外部アンテナとすることができる、主要アンテナなどのアンテナ６０２に結合し、そして経路６４０などを経由して移動局モデム（ＭＳＭ）６２０と通信している。ＭＳＭ６２０は、ＭＳＭ６２０の内部に、あるいは外部にあるようにすることができるメモリ６２２と通信しているプロセッサ６２３を備える。
【００２６】
図６に示されるように、トランシーバシステム６０９は、直交（Ｑ）信号などのＲＦ信号をダウンコンバートするための、ミキサコア６１０や６１１など、２つ以上のミキサコアを有する、能動ミキサや受動ミキサなどのミキサ６２ａを含んでいる。ＲＦ信号は、先ずアンテナ６０２において、次いで低雑音増幅器（ＬＮＡ）６０の差動入力端子６０ａおよび６０ｂへと受信され、この低雑音増幅器の出力リード線６１ａおよび６１ｂは、次いでそれぞれミキサ６２ａの入力リード線６１３および６１２に結合される。例示の一実施形態においては、ＬＮＡ６０は、可変利得増幅器である。例示の一実施形態においては、ミキサコア６１０および６１１のうちの１つまたは複数は、スイッチングコアなど、能動コアまたは受動コアとすることができる。図６に示される例示の実施形態においては、ミキサ６２ａは、各々が、図３と一緒に説明される要素など、２つの交差結合スイッチング要素を有するギルバートミキサを備えるミキサコア６１０および６１１を有し、スイッチングコア６１０および６１１の前に利得ステージを有さない受動ミキサを備える。
【００２７】
図６に示されるように、ミキサコア６１０および６１１の各々は、ミキサコア６１０についての入力リード線６０１および６０２や、ミキサコア６１１についての入力リード線６０３および６０４など、複数の入力リード線を有する。例示の一実施形態においては、ミキサ６２ａの入力６１２は、それぞれミキサコア６１０および６１１の入力リード線６０２および６０４に結合され、そしてミキサ６２ａの入力６１３は、それぞれミキサコア６１０および６１１の入力リード線６０１および６０３に結合される。ミキサ６２ａはまた、出力６２０ａと６２０ｂとを含み、そしてミキサコア６１０および６１１の各々は、ミキサコア６１０についての出力６０１ｂおよび６０２ｂや、ミキサコア６１１についての出力６０３ｂおよび６０４ｂなど、１対の出力を有する。例示の一実施形態においては、ミキサ６２ａの出力６２０ｂは、それぞれミキサコア６１０および６１１の出力リード線６０２ｂおよび６０４ｂに結合され、そしてミキサ６２ａの出力６２０ａは、それぞれミキサコア６１０および６１１の出力リード線６０１ｂおよび６０３ｂに結合される。
【００２８】
次に、変性インピーダンス要素は、ミキサコア６１０の入力リード線６０１および６０２にそれぞれ結合される変性インピーダンス要素６０５および６０６や、ミキサコア６１１の入力リード線６０３および６０４にそれぞれ結合される変性インピーダンス要素６０７および６０８など、ミキサコア６１０および６１１の各々の入力リード線に結合される。変性インピーダンス要素６０５、６０６、６０７および６０８は、図に示されるように、ミキサコア６１０および６１１の内部に、あるいはそれぞれそれらの入力経路６０１ａ、６０２ａ、６０３ａおよび６０４ａに沿って外部に（図示されず）のいずれかで、入力リード線６０１、６０２、６０３および６０４にそれぞれ結合されることができる。
【００２９】
ミキサ６２ａの中のミキサコアの数は、説明を簡単にするために２として選択されるが、ミキサ６２ａは、２つより多いミキサコアを有することができることに注意すべきである。例示の一実施形態においては、ミキサコアのうちの１つは、あらかじめ決定されたインピーダンス比だけなど、ミキサ６２ａの中の他のミキサコアとは異なるインピーダンス値のものである。例示の一実施形態においては、１つのミキサコアの変性インピーダンス要素は、あらかじめ決定されたインピーダンス比だけなど、他のミキサコアの変性インピーダンス要素に比べて異なっている。
【００３０】
図６に示される例示の実施形態においては、ミキサコア６１０は、ミキサコア６１１に対するミキサコア６１０のあらかじめ決定されたインピーダンス比だけなど、ミキサコア６１１に比べて異なるインピーダンス値のものであり、ミキサコア６１０の変性インピーダンス要素６０５および６０６は、あらかじめ決定されたインピーダンス比だけなど、ミキサコア６１１の変性インピーダンス要素６０７および６０８に比べて異なるインピーダンス値のものである。例示の一実施形態においては、ミキサコア６１０は、ミキサコア６１１よりも大きな物理サイズを有することなどにより、ミキサコア６１１に対するミキサコア６１０のあらかじめ決定されたサイズ比だけなど、ミキサコア６１１より小さなインピーダンス値のものである。
【００３１】
例示の一実施形態においては、変性インピーダンス要素６０５、６０６、６０７および６０８の各々は、図４Ａ〜Ｇと一緒に上記で説明されるように、抵抗と、キャパシタと、トランジスタと、直列に結合された抵抗とキャパシタと、直列に結合された抵抗とトランジスタと、直列に結合されたキャパシタとトランジスタと、直列に結合された抵抗とキャパシタとトランジスタと、から成ることができる。
【００３２】
図６に示されるように、トランシーバシステム６０９は、先ずバッファ６８にバッファされ、次いで、局部発振器（ＬＯ）システム６００へと供給される前に、２分周のように周波数分周器６７によって周波数分周されるダウンコンバートする電圧信号を生成するための電圧制御発振器６９も含んでいる。局部発振器（ＬＯ）システム６００は、ミキサ６２ａに供給されるＬＯ信号を生成する複数のデューティサイクルモードを有する。局部発振器システム６００は、ミキサ６２ａに対して、バッファされた信号を供給するバッファシステム６６ａに対する結合線７５などを経由してＬＯ信号を出力する、プログラマブルな２５／５０ＤＣジェネレータなどのマルチモードデューティサイクル（ＤＣ）ジェネレータ６６を含んでいる。例示の一実施形態においては、デューティサイクルジェネレータ６６は、プログラマブルなデューティサイクルジェネレータである。
【００３３】
図７と一緒により詳細に説明されるように、次いで、プロセッサ３２３などのコントローラは、（ａ）ミキサ６２ａの第１の利得に基づいて、２５ＤＣなど、第１のデューティサイクルモードで、ミキサコア６１１など、第１のミキサコアと、局部発振器システム６００とを動作させるために、（ｂ）ミキサ６２ａの第２の利得に基づいて、２５ＤＣなど、第１のデューティサイクルモードで、ミキサ６２ａ、またはミキサコア６１０など第２のミキサコアのいずれかと、局部発振器システム６００とを動作させるために、そして（ｃ）ミキサ６２ａの第３の利得に基づいて、５０ＤＣなど、第２のデューティサイクルモードで、ミキサコア６１１など、第１のミキサコアと、局部発振器システム６００とを動作させるために使用される。プロセッサ６２３などのコントローラからの指示(instructions)は、次いで指示されたデューティサイクルモードで動作することになるマルチモードデューティサイクル（ＤＣ）ジェネレータ６６において受信される。
【００３４】
例示の一実施形態においては、バッファシステム６６ａは、結合線７５などを経由して、デューティサイクルジェネレータシステム６６の対応する出力リード線に結合された入力リード線を含んでいる。バッファシステム６６ａはまた、マルチモードデューティサイクル（ＤＣ）ジェネレータ６６のデューティサイクルのうちの１つに対応するＬＯ信号をミキサ６２ａに供給する、ミキサコア６１１の対応する入力リード線６３０ａおよび６３０ｂに結合された第１の組の出力リード線６３ａ１および６３ａ２も含んでいる。バッファシステム６６ａはまた、マルチモードデューティサイクル（ＤＣ）ジェネレータ６６のデューティサイクルのうちの１つに対応する信号をミキサ６２ａに供給する、ミキサコア６１０の入力リード線に結合された第２の組の出力リード線６４ａ１および６４ａ２も含んでいる。次いで、バッファされた信号は、出力６２０ｂおよび６２０ａからそれぞれ出力されるダウンコンバートされた信号へと入力リード線６１２および６１３の中で受信されるＲＦ信号についてダウンコンバートするために、それぞれミキサコア６１１および６１０のスイッチング要素に対して、対６３ａ１、６３ａ２と、６４ａ１、６４ａ２とによって供給される。
【００３５】
例示の一実施形態においては、バッファシステム６６ａは、２つのサブバッファ（図示されず）を含んでおり、各サブバッファは、出力リード線６３ａ１、６３ａ２や、６４ａ１、６４ａ２など、バッファシステム６６ａの異なる対の出力リード線から出力する。例示の一実施形態においては、サブバッファは、異なるサイズのミキサコア６１０および６１１に対応する異なるサイズのものであり、そしてプロセッサ６２３などのコントローラからの制御線６５ａを経由して受信される制御信号に基づいて選択される。制御線６５ａを経由したサブバッファの選択は、選択されたサブバッファが、マルチモードデューティサイクル（ＤＣ）ジェネレータ６６のデューティサイクルのうちの１つに対応するＬＯ信号を対応するミキサコアに対して供給することを可能にするのに対して、他のミキサコアは、それらの対応するサブバッファからのＬＯ信号を供給されない。例えば、ミキサコア６１０に対応するサブバッファが、選択される場合、選択されたサブバッファは、出力リード線６４ａ１および６４ａ２を経由して、ミキサコア６１０に対してＬＯ信号を供給するが、ＬＯ信号は、他の選択されなかったサブバッファによっては出力リード線６３ａ１および６３ａ２を経由してミキサコア６１１に対して供給されることはない。
【００３６】
図６に示されるように、トランシーバシステム６０９は、同相（Ｉ）信号など、追加の信号をダウンコンバートするための、ミキサ６２ｂなど、追加のミキサを含むことができる。例示の一実施形態においては、ミキサ６２ｂなど、追加の各ミキサはまた、上記で説明されるようにミキサ６２ａのような複数のミキサコアを有し、その各々は、それらの入力に結合された変性インピーダンス要素を有し、そしてまた、次いで両方のミキサ６２ａや６２ｂなどのミキサの利得状態に基づいて動作する局部発振器システム６００からＬＯ信号を受信する。局部発振器システム６００はまた、ミキサ６２ｂについてのバッファシステム６６ｂなど、追加のミキサについての追加のバッファシステムを有することになる。簡単にするために、トランシーバシステム６０９のオペレーションは、ミキサ６２ａとの関連だけでここにおいて詳細に説明されるが、複数のミキサを有するコンフィギュレーションにも簡単に適用されることができる。
【００３７】
さらに、ミキサ６２ａや６２ｂなど、各ミキサは、２つより多いミキサコアと、それらのバッファシステム６６ａおよび６６ｂの中でそれぞれ異なるサイズの対応する数のサブバッファとを含むことができる。ミキサコンフィギュレーション当たりに複数のミキサと複数のミキサコアとを有する例示の一実施形態においては、局部発振器（ＬＯ）システム６００は、ミキサに供給されるＬＯ信号を生成する。以下で、そして図７と一緒により詳細に説明されるように、次いで、プロセッサ６２３などのコントローラは、（ａ）ミキサの第１の利得に基づいて第１のデューティサイクルモードで、ミキサの各々の中の対応する第１のミキサコアと、局部発振器システム６００とを動作させ、（ｂ）ミキサの第２の利得に基づいて第１のデューティサイクルモードで、ミキサ、またはミキサの各々の中の対応する第２のミキサコアと、局部発振器システム６００とを動作させ、そして（ｃ）ミキサの第３の利得に基づいて、第２のデューティサイクルモードで、ミキサの各々の中の対応する第１のミキサコアと、局部発振器システム６００とを動作させる。
【００３８】
図７は、図６と一緒に、本開示の別の例示の方法を示すフローチャートである。プロセスは、ミキサコア６１０や６１１など、複数のミキサコアを有し、そして２５ＤＣモードや５０ＤＣモードなど、複数のデューティサイクル（ＤＣ）モードを有する局部発振器（ＬＯ）６００に結合される、ミキサ６２ａなどのミキサの利得状態が決定されるブロック７００において開始する。決定された利得状態は、ミキサの第１の利得、第２の利得、または第３の利得に対応する。
【００３９】
例示の一実施形態においては、ミキサの第１の利得状態は、ＣＤＭＡ  １ｘレシーバにおける高利得低線形(high gain low-linearly)（Ｇ０ＬＬ）状態などの高利得状態を備え、ミキサの第２の利得は、ＣＤＭＡ  １ｘレシーバにおける低利得高線形(low gain high-linearly)（Ｇ０ＨＬ）状態などの低利得状態を備え、そして第３の利得状態は、ＣＤＭＡ  １ｘレシーバにおける低利得状態Ｇ１、Ｇ２、Ｇ３など、ミキサの第２の利得よりも低い低利得状態を備える。
【００４０】
次に、ブロック７１０において、ミキサ６２ａなどのミキサの決定された利得状態に基づいて、ミキサコア６１０や６１１など、ミキサの中のミキサコアが、２５ＤＣモードや５０ＤＣモードなど、局部発振器システム６００のデューティサイクルモードと同様に選択される。例示の一実施形態においては、ミキサコアとデューティサイクルとの選択は、プロセッサ６２３などのコントローラによって実行される。
【００４１】
次に、ブロック７２０において、ミキサ６２ａなどのミキサが、ＣＤＭＡ  １ｘレシーバにおける高利得低線形(high gain low-linearly)（Ｇ０ＬＬ）状態など、第１の利得状態にあることが決定される場合、そのときには局部発振器システム６００は、２５ＤＣなどの低デューティサイクルモードで動作するように、そしてミキサコア６１１などのミキサの選択されたミキサコアにＬＯ信号を供給するように、プロセッサ６２３などのコントローラによって指示される。例示の一実施形態においては、ミキサコア６１１など、選択されたミキサコアは、ミキサコア６１０など、選択されていないミキサコアよりも大きなインピーダンス値を備える。プロセッサ６２３などのコントローラは、制御線６５を経由してデューティサイクルジェネレータ６６において受信される制御信号に基づいて２５ＤＣモードなど、低い方のデューティサイクルモードで動作するようにデューティサイクルジェネレータ６６に指示する。プロセッサ６２３などのコントローラはまた、どのミキサコアが選択されるかに応じて、出力リード線６４ａ１、６４ａ２、または６３ａ１、６３ａ２のいずれかを経由することにより、選択されたミキサコアにＬＯ信号を供給するように、制御線６５ａを経由してバッファシステム６６ａにおいて受信される制御信号に基づいて、バッファシステム６６ａに指示する。別の例示の実施形態においては、ＬＯ信号は、プロセッサ６２３などのコントローラからの指示に基づいて、ミキサコア６１０の入力６０１ａ、６０２ａ、６３０ｃおよび６３０ｄに対する経路に沿ってなど、１つまたは複数のミキサコアの１つまたは複数の入力に対する経路に沿って配置される１つまたは複数のマルチプレクサ（図示されず）を経由して、選択されたミキサコアへと供給される。
【００４２】
次に、ブロック７３０において、ミキサ６２ａなどのミキサが、ＣＤＭＡ  １ｘレシーバにおける低利得高線形(low gain high-linearly)（Ｇ０ＨＬ）状態など、第２の利得状態にあることが決定される場合、そのときには局部発振器システム６００は、２５ＤＣなどの低デューティサイクルモードで動作するように、そして両方のミキサコア６１０と６１１とを選択することによりミキサ６２ａに対して、またはただ選択されたミキサコアだけに対してＬＯ信号を供給するように、プロセッサ６２３などのコントローラによって指示される。例示の一実施形態においては、ミキサコア６１０など、選択されたミキサコアは、ミキサコア６１１など、選択されていないミキサコアよりも小さなインピーダンス値を備える。プロセッサ６２３などのコントローラは、制御線６５を経由してデューティサイクルジェネレータ６６において受信される制御信号に基づいて２５ＤＣモードなど、低い方のデューティサイクルモードで動作するように、デューティサイクルジェネレータ６６に指示する。プロセッサ６２３などのコントローラはまた、どのミキサコアが選択されるかに応じて、出力リード線６４ａ１、６４ａ２、または６３ａ１、６３ａ２のいずれかを経由することにより、選択されたミキサコアに対して、あるいは両方のミキサコアが選択される場合には両方のミキサコアに対して、ＬＯ信号を供給するように、制御線６５ａを経由してバッファシステム６６ａにおいて受信される制御信号に基づいて、バッファシステム６６ａに指示する。別の例示の実施形態においては、ＬＯ信号は、プロセッサ６２３などのコントローラからの指示に基づいて、ミキサコア６１０の入力６０１ａ、６０２ａ、６３０ｃおよび６３０ｄに対する経路に沿ってなど、１つまたは複数のミキサコアの１つまたは複数の入力に対する経路に沿って配置される１つまたは複数のマルチプレクサ（図示されず）を経由して、選択されたミキサまたはミキサコアへと供給される。
【００４３】
次に、ブロック７３０において、ミキサ６２ａなどのミキサが、ＣＤＭＡ  １ｘレシーバにおける低利得状態Ｇ１、Ｇ２、Ｇ３など、第３の利得状態にあることが決定される場合、そのときには局部発振器システム６００は、５０ＤＣなどのより高いデューティサイクルモードで動作するように、そして選択されたミキサコアにＬＯ信号を供給するように、プロセッサ６２３などのコントローラによって指示される。例示の一実施形態においては、ミキサコア６１１など、選択されたミキサコアは、ミキサコア６１０など、選択されていないミキサコアよりも大きなインピーダンス値を備える。プロセッサ６２３などのコントローラは、制御線６５を経由してデューティサイクルジェネレータ６６において受信される制御信号に基づいて５０ＤＣモードなど、高い方のデューティサイクルモードで動作するようにデューティサイクルジェネレータ６６に指示する。プロセッサ６２３などのコントローラはまた、どのミキサコアが選択されるかに応じて、出力リード線６４ａ１、６４ａ２、または６３ａ１、６３ａ２のいずれかを経由することにより、選択されたミキサコアにＬＯ信号を供給するように、制御線６５ａを経由してバッファシステム６６ａにおいて受信される制御信号に基づいて、バッファシステム６６ａに指示する。別の例示の実施形態においては、ＬＯ信号は、プロセッサ６２３などのコントローラからの指示に基づいて、ミキサコア６１０の入力６０１ａ、６０２ａ、６３０ｃおよび６３０ｄに対する経路に沿ってなど、１つまたは複数のミキサコアの１つまたは複数の入力に対する経路に沿って配置される１つまたは複数のマルチプレクサ（図示されず）を経由して、選択されたミキサまたはミキサコアへと供給される。次いで、全体のフローは、終了する。
【００４４】
５０ＤＣ局部発振器に比べて、２５ＤＣ局部発振器を有するレシーバは、ＬＮＡが同じ電流を消費する場合に、より高い利得を達成する。レシーバフロントエンドにおける、より高い利得は、ＲＦレシーバにおいて、特にミキサのスイッチングコアの前に利得ステージなどのｇｍ−セルを有さないＳＡＷレスレシーバにおいて、よりよい雑音指数（ＮＦ）のために非常に望ましい。ほとんどのワイヤレス通信システムにおいては、最も厳しいＮＦは、高利得モードにおいてだけ必要とされる。他方、低利得モードは、最も電力が支配的なモードである。低利得モードにおける電力消費を低減させ、そして依然として緩和されたＮＦの仕様を満たすことは、ＲＦレシーバをより電力効率の良いものにすることになる。先行技術より優れた本発明の実施形態の１つの利点は、高利得モードにおいて２５ＤＣ  ＬＯを、そして低利得モードにおいて５０ＤＣ  ＬＯを使用することにより、より大きな電力効率が、高利得モードについてのよりよいＮＦと同様に達成されることである。
【００４５】
様々な例示の実施形態は、例証の目的のために別々に論じられたが、それらは、別々に示された実施形態の特徴の一部または全部を有する１つの実施形態に組み合わされることができることに、注意すべきである。
【００４６】
当業者(Those of skill in the art)は、情報および信号は、様々な異なる技術および技法のうちのどれを使用しても表されることができることを理解するであろう。例えば、上記説明全体を通して参照されることができるデータ、命令、コマンド、情報、信号、ビット、シンボル、およびチップは、電圧、電流、電磁波、磁気の場または粒子、光学的な場または粒子、あるいはそれらの任意の組合せによって表されることができる。当業者(Those of skill)は、さらに、ここにおける開示に関連して説明される様々な例示の論理ブロック、モジュール、回路、およびアルゴリズムステップは、電子のハードウェア、コンピュータソフトウェア、あるいは両方の組合せとしてインプリメントされることができることを理解するであろう。ハードウェアとソフトウェアとのこの交換可能性を明確に示すために、様々な例示のコンポーネント、ブロック、モジュール、回路、およびステップが、それらの機能の観点で上記に一般的に説明されている。そのような機能が、ハードウェアとしてインプリメントされるか、またはソフトウェアとしてインプリメントされるかは、全体的なシステムに課される特定のアプリケーションおよび設計の制約条件に依存する。当業者(Skilled artisans)は、特定の各アプリケーションについて変化するやり方で、説明された機能をインプリメントすることができるが、そのようなインプリメンテーションの決定は、本開示の範囲からの逸脱(departure)を引き起こすものとしては解釈されるべきではない。
【００４７】
ここにおける開示に関連して説明される様々な例示の論理ブロック、モジュール、および回路は、ここにおいて説明される機能を実行するように設計された汎用プロセッサ、デジタル信号プロセッサ(digital signal processor)（ＤＳＰ）、特定用途向け集積回路(application specific integrated circuit)（ＡＳＩＣ）、フィールドプログラマブルゲートアレイ(field programmable gate array)（ＦＰＧＡ）または他のプログラマブルロジックデバイス、ディスクリートなゲートまたはトランジスタのロジック、ディスクリートハードウェアコンポーネント(discrete hardware components)、あるいはそれらの任意の組合せを用いてインプリメントされ、または実行されることができる。汎用プロセッサは、マイクロプロセッサであってもよいが、代替案においては、プロセッサは、従来の任意のプロセッサ、コントローラ、マイクロコントローラ、または状態機械であってもよい。プロセッサは、コンピューティングデバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーションとしてインプリメントされることもできる。
【００４８】
ここにおける開示に関連して説明される方法またはアルゴリズムのステップは、ハードウェアの形で直接に、プロセッサによって実行されるソフトウェアモジュールの形で、あるいはそれらの２つの組合せの形で実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において知られている他の任意の形態のストレージ媒体の中に存在することができる。例示のストレージ媒体は、プロセッサが、ストレージ媒体から情報を読み取り、そしてストレージ媒体に情報を書き込むことができるように、プロセッサに結合される。代替案においては、ストレージ媒体は、プロセッサと一体化していることもできる。プロセッサとストレージ媒体とは、ＡＳＩＣの中に存在することができる。ＡＳＩＣは、ユーザ端末の中に存在することができる。代替案においては、プロセッサとストレージ媒体とは、ユーザ端末の中にディスクリートコンポーネントとして存在することもできる。
【００４９】
上記で説明される方法は、コンピュータに、上記で説明されたプロセスを実行するようにさせるためのコードを有するコンピュータ可読媒体を有するコンピュータプログラムプロダクト(computer program product)の形でインプリメントされることができることに注意すべきである。１つまたは複数の例示の実施形態においては、説明される機能は、ハードウェア、ソフトウェア、ファームウェア、またはそれらの任意の組合せの形でインプリメントされることができる。ソフトウェアの形でインプリメントされる場合、それらの機能は、コンピュータ可読媒体上に１つまたは複数の命令またはコードとして記憶され、あるいはその上で送信されることができる。コンピュータ可読媒体は、ある場所から別の場所へのコンピュータプログラムの転送を容易にする任意の媒体を含めて、コンピュータストレージ媒体と、通信媒体との両方を含んでいる。ストレージ媒体は、汎用または専用のコンピュータによってアクセスされることができる使用可能な任意の媒体とすることができる。例として、限定するものではないが、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で望ましいプログラムコード手段を搬送し、または記憶するために使用されることができ、そして汎用または専用のコンピュータ、あるいは汎用または専用のプロセッサによってアクセスされることができる他の任意の媒体、を備えることができる。また、任意の接続は、コンピュータ可読媒体と適切に名づけられることもある。例えば、ソフトウェアが、同軸ケーブル、光ファイバケーブル、ツイストペア(twisted pair)、デジタル加入者回線（ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、媒体の定義の中に含まれる。ここにおいて使用されるようなディスク(Disk)およびディスク(disc)は、コンパクトディスク(compact disc)（ＣＤ）、レーザーディスク（登録商標）(laser disc)、光ディスク(optical disc)、デジタル多用途ディスク(digital versatile disc)（ＤＶＤ）、フロッピー（登録商標）ディスク、およびブルーレイディスク(blu-ray disc)を含み、ここでディスク(disks)は通常、データを磁気的に再生するが、ディスク(discs)は、レーザを用いて光学的にデータを再生する。上記の組合せもまた、コンピュータ可読媒体の範囲内に含められるべきである。
【００５０】
本開示の先の説明は、任意の当業者が、本開示を作りまたは使用することを可能にするために提供される。本開示に対する様々な修正は、当業者には簡単に明らかになり、そしてここにおいて定義される包括的な原理は、本開示の範囲から逸脱することなく、他の変形にも適用されることができる。したがって、本開示は、ここにおいて説明される例および設計だけに限定されるようには意図されず、ここにおいて開示される原理および新規の特徴と整合した最も広い範囲を与えられるべきである。
【図１】
2011515967.tif 000003
【図２】
2011515967.tif 000004
【図３】
2011515967.tif 000005
【図４Ａ】
2011515967.tif 000006
【図４Ｂ】
2011515967.tif 000007
【図４Ｃ】
2011515967.tif 000008
【図４Ｄ】
2011515967.tif 000009
【図４Ｅ】
2011515967.tif 000010
【図４Ｆ】
2011515967.tif 000011
【図４Ｇ】
2011515967.tif 000012
【図５】
2011515967.tif 000013
【図６】
2011515967.tif 000014
【図７】
2011515967.tif 000015
【国際調査報告】
2011515967.tif 000016
2011515967.tif 000017
2011515967.tif 000018